(57)【要約】【課題】服薬と血圧測定を結び付けて関連付けることで、投薬と関連付けられた臨床上の意義のある血圧データを経時的に記録して、投薬の効果や投薬のタイミングを自己管理することができる電子血圧計を提供する。【解決手段】腕帯部２と、通常の血圧測定により得られた最高血圧値と最低血圧値が所定範囲である場合には、血圧が妥当であることを測定者に音声ガイドし、最高血圧値と最低血圧値が所定範囲外である場合には、血圧測定時間が通常の時間であるか否か、薬の飲み忘れの有無を音声により通常の血圧測定モードＭ１と、測定者に前記服薬時間であることを音で知らせ、測定者が既に服薬していると服薬時間であるかどうかを音声で既に服薬している旨を測定者に対して知らせ、測定者がまだ服薬していない場合には、服薬時間であるかどうかをアナウンスして血圧測定開始を促す服薬時の血圧測定モードＭ２と、を選択可能な前記血圧計本体部１０とを備える。【選択図】図６
2010213785.tif 000002
【特許請求の範囲】
【請求項１】
カフと、血圧値，脈拍を表示する表示部を有する電子血圧計であって、
血圧計本体部が、複数の血圧測定モードを有していて、
該複数の血圧測定モードが、
通常の血圧測定により得られた最高血圧値と最低血圧値が所定範囲である場合には、血圧が妥当であることを測定者に音声ガイドで報知し、前記通常の血圧測定により得られた最高血圧値と最低血圧値が所定範囲外である場合には、血圧測定時間が通常の時間であるかどうかを判断して、薬の飲み忘れの有無を音声により前記測定者に知らせる通常の血圧測定モードと、
予め定めた服薬時間になると前記測定者に前記服薬時間であることを音で知らせ、前記測定者が既に服薬していると前記服薬時間であるかどうかを音声でアナウンスして既に服薬している旨を前記測定者に対して知らせ、前記測定者がまだ服薬していない場合には、前記服薬時間であるかどうかをアナウンスして、前記測定者に対して血圧測定開始を促す服薬時の血圧測定モードと
を備えることを特徴とする電子血圧計。
【請求項２】
前記血圧計本体部においては前記服薬時の血圧測定モードでは、前記最高血圧値と前記最低血圧値と脈拍数を音声によりアナウンスし、前記服薬時間であったかどうかもアナウンスすることを特徴とする請求項１に記載の電子血圧計。
【請求項３】
前記血圧計本体部においては前記服薬時の血圧測定モードでは、前記服薬の有無と前記最高血圧値と前記最低血圧値と前記服薬時間をメモリ部に記憶することを特徴とする請求項２に記載の電子血圧計。
【請求項４】
前記腕帯部と前記血圧計本体部が別体になっていることを特徴とする請求項１〜請求項３のいずれか１つの項に記載の電子血圧計。
【請求項５】
前記腕帯部は前記血圧計本体部の内部に配置されていることを特徴とする請求項１〜請求項３のいずれか１つの項に記載の電子血圧計。
【請求項６】
前記血圧計本体部は、コロトコフ音（Ｋ音）を検出して血圧測定を行うことを特徴とする請求項１〜請求項５のいずれか１つの項に記載の電子血圧計。
【請求項７】
カフと、血圧値，脈拍を表示する表示部を有する手首式電子血圧計であって、
血圧計本体部が、複数の血圧測定モードを有していて、
該複数の血圧測定モードが、
通常の血圧測定により得られた最高血圧値と最低血圧値が所定範囲である場合には、血圧が妥当であることを測定者に音声ガイドで報知し、前記通常の血圧測定により得られた最高血圧値と最低血圧値が所定範囲外である場合には、血圧測定時間が通常の時間であるかどうかを判断して、薬の飲み忘れの有無を音声により前記測定者に知らせる通常の血圧測定モードと、
予め定めた服薬時間になると前記測定者に前記服薬時間であることを音で知らせ、前記測定者が既に服薬していると前記服薬時間であるかどうかを音声でアナウンスして既に服薬している旨を前記測定者に対して知らせ、前記測定者がまだ服薬していない場合には、前記服薬時間であるかどうかをアナウンスして、前記測定者に対して血圧測定開始を促す服薬時の血圧測定モードと
を備えることを特徴とする手首式電子血圧計。
【請求項８】
前記血圧計本体部においては前記服薬時の血圧測定モードでは、前記最高血圧値と前記最低血圧値と脈拍数を音声によりアナウンスし、前記服薬時間であったかどうかもアナウンスすることを特徴とする請求項７に記載の手首式電子血圧計。
【請求項９】
前記血圧計本体部においては前記服薬時の血圧測定モードでは、前記服薬の有無と前記最高血圧値と前記最低血圧値と前記服薬時間をメモリ部に記憶することを特徴とする請求項８に記載の手首式電子血圧計。
【発明の詳細な説明】
【技術分野】
【０００１】
本発明は、電子血圧計に関し、特に測定者が服薬と血圧測定を結び付けて関連付けるこができる電子血圧計に関するものである。
【背景技術】
【０００２】
家庭用血圧計にあって、投薬と関連付けて血圧測定を行う血圧計が提案されている（例えば、特許文献１を参照）。この血圧計では、薬の効果を確認するために、薬を服用後、タイマにより３０分毎に血圧測定を促し、血圧測定結果を記憶するものである。
【先行技術文献】
【特許文献】
【０００３】
【特許文献１】特開２００４―１０５３９７号公報
【発明の概要】
【発明が解決しようとする課題】
【０００４】
ところで、最近の降圧剤は、その効果を２４時間持続させるために徐々に薬理効果を生むため、降圧剤を服用後、日中の活動時期に３０分毎に血圧測定を行っても必ずしも臨床上の意義のある血圧測定データが得られるものではない。一方で、例えば高齢者に限らず例えば降圧剤のような薬を日常的に服薬している人は、服薬が日常動作になっているために、薬を日常的に服薬している人自身が数分前にその薬を飲んだかどうかを忘れて再度同じ薬を飲んでしまったり、あるいは薬を飲み忘れてしまうことが発生し易い。
この点を考慮して、測定者が電子血圧計により血圧を測定する際には、測定者自身が服薬と血圧測定作業を結び付けて関連付けることで、血圧の測定者が薬を再度飲んだり薬を飲み忘れてしまうことを防いで、投薬と関連付けられた臨床上の意義のある血圧データを経時的に記録して、投薬の効果や投薬のタイミング（時間）を自己管理することができるが望ましい。
そこで、上記課題を解消するために、本発明は、服薬と血圧測定を結び付けて関連付けることで、血圧の測定者が薬を再度飲んだり薬を飲み忘れてしまうことを防いで、投薬と関連付けられた臨床上の意義のある血圧データを経時的に記録して、投薬の効果や投薬のタイミング（時間）を自己管理することができる電子血圧計を提供することを目的とする。
【課題を解決するための手段】
【０００５】
本発明の電子血圧計は、カフと、血圧値，脈拍を表示する表示部を有する電子血圧計であって、血圧計本体部が、複数の血圧測定モードを有していて、複数の血圧測定モードが、通常の血圧測定により得られた最高血圧値と最低血圧値が所定範囲である場合には、血圧が妥当であることを測定者に音声ガイドで報知し、通常の血圧測定により得られた最高血圧値と最低血圧値が所定範囲外である場合には、血圧測定時間が通常の時間であるかどうかを判断して、薬の飲み忘れの有無を音声により測定者に知らせる通常の血圧測定モードと、予め定めた服薬時間になると測定者に服薬時間であることを音で知らせ、測定者が既に服薬していると服薬時間であるかどうかを音声でアナウンスして既に服薬している旨を前記測定者に対して知らせ、測定者がまだ服薬していない場合には、服薬時間であるかどうかをアナウンスして、測定者に対して血圧測定開始を促す服薬時の血圧測定モードとを備えることを特徴とする。
上記構成によれば、服薬と血圧測定を結び付けて関連付けることで、血圧の測定者が薬を再度飲んだり薬を飲み忘れてしまうことを防いで、投薬と関連付けられた臨床上の意義のある血圧データを経時的に記録して、投薬の効果や投薬のタイミングを自己管理することができる。
【０００６】
本発明の電子血圧計は、前記血圧計本体部においては前記服薬時の血圧測定モードでは、最高血圧値と前記最低血圧値と脈拍数を音声によりアナウンスし、前記服薬時間であったかどうかもアナウンスすることを特徴とする。
上記構成によれば、測定者は、最高血圧値と最低血圧値と脈拍数、そして服薬時間を音声により確認できる。
【０００７】
本発明の電子血圧計は、血圧計本体部においては服薬時の血圧測定モードでは、服薬の有無と最高血圧値と最低血圧値と服薬時間をメモリ部に記憶することを特徴とする。
上記構成によれば、服薬の有無と最高血圧値と最低血圧値と服薬時間を記録して後に活用することができる。
【０００８】
本発明の電子血圧計では、腕帯部と血圧計本体部が別体になっていることを特徴とする。
上記構成によれば、測定者は腕帯部だけをもって上腕を通すだけで血圧測定ができる。
【０００９】
本発明の電子血圧計では、腕帯部は血圧計本体部の内部に配置されていることを特徴とする。
上記構成によれば、腕帯部と血圧計本体部が別体であるのに比べて、部品点数を減らすことができる。
本発明の電子血圧計では、血圧計本体部は、コロトコフ音（Ｋ音）を検出して血圧測定を行うことを特徴とする。
上記構成によれば、コロトコフ音を用いて血圧値等を検出できる。
【発明の効果】
【００１０】
本発明は、服薬と血圧測定を結び付けて関連付けることで、血圧の測定者が薬を再度飲んだり、薬を飲み忘れてしまうことを防いで、投薬と関連付けられた臨床上の意義のある血圧データを経時的に記録して、投薬の効果や投薬のタイミングを自己管理することができる電子血圧計を提供することができる。
【図面の簡単な説明】
【００１１】
【図１】本発明の電子血圧計の好ましい実施形態を示す斜視図。
【図２】図１に示す電子血圧計の血圧計本体部の構造例を示す平面図。
【図３】図１の電子血圧計の回路ブロックを示す図。
【図４】図１の電子血圧計の回路ブロックを示す図。
【図５】図１の電子血圧計における通常の血圧測定プログラム（通常の血圧測定モード）の手順を示すフロー図。
【図６】電子血圧計における服薬時の血圧測定プログラム（服薬時の血圧測定モード）の手順を示すフロー図。
【図７】本発明の電子血圧計の好ましい別の実施形態を示す斜視図。
【図８】本発明の電子血圧計のさらに別の実施形態である手首式電子血圧計を示す斜視図。
【発明を実施するための形態】
【００１２】
以下に、本発明の好ましい実施形態を、図面を参照して詳しく説明する。
図１は、本発明の電子血圧計の好ましい実施形態を示す斜視図である。
図１に示す電子血圧計１は、血圧測定方式の一例としてリバロッチ・コロトコフ法が用いられ、コロトコフ音（Ｋ音）を検出して血圧測定を行う装置である。図１に示す電子血圧計１は、腕帯部２と、血圧計本体部１０を備えている。電子血圧計１では、腕帯部２は、血圧計本体部１０とは別体になっている。腕帯部２と血圧計本体部１０とは有線（電気信号線）３により電気的に接続され、しかも腕帯部２と血圧計本体部１０とがエアーの給排気路であるフレキシブルなチューブ４により接続されている。
【００１３】
まず、図１を参照して、腕帯部２の構造について説明する。
図１に示すように、腕帯部２は、血圧測定時に測定者の上腕Ｔを挿入して圧迫するために、上腕Ｔを差し込む構造を有している。これにより、この腕帯部２は、通常の腕帯と異なり測定者の上腕Ｔに対して腕帯を巻き付ける必要が無く、左右のいずれの上腕Ｔでも容易に血圧測定が可能である。図１に示す腕帯部２は、ほぼ円筒状のハウジング１１と、可撓性を有しており、２５０ｍｍＨｇ程度までの加圧に対して、膨張と収縮が可能な、塩化ビニル，合成ゴム，天然ゴムなどで形成されるカフ１２と、２つのマイクロフォン１３，１４と、ノイズセンサ１５を有している。ハウジング１１は、例えばプラスチック製であり、Ｄ１方向に向けて僅かに先細りに形成されている。ハウジング１１は、測定者の上腕ＴをＤ１方向に差し込むための貫通した開口部１６を有している。この開口部１６内には、カフ１２が収容されている。腕帯部２は、さらに、このカフ１２を覆い、上腕Ｔを挿入する挿入孔１７に着脱自在なカフリング１２ａを備えている。このカフリング１２ａは、両端部はＯ−リングで形成され、長さ方向Ｗ，円周方向Ｒのいずれにも伸縮自在なナイロン，スパンデックスなどのすべり性のあるストレッチ素材で形成している。カフ１２内へは、血圧計本体部１０内の破線で示すポンプ４４，４５の作動によりチューブ４を通じてエアーを供給してハウジング１１内の上腕Ｔを圧迫でき、あるいはカフ１２内からエアーを徐々に排気したり、あるいはカフ１２内からエアーを急排気できる。
【００１４】
図１に示すハウジング１１は、例えば、該ハウジング１１上端の奥側で起立したほぼ扇型の把持部１８を有している。例えば、左腕の上腕ＴをＤ１方向に挿入孔１７に対して挿入し逆にＤ２方向に上腕Ｔを外す動作は、右手でこの把持部１８を持って行うことができる。また、右腕の上腕ＴをＤ１方向に挿入穴７に挿入し逆にＤ２方向に上腕Ｔを外す動作は、左手でこの把持部１８を持って行うことができる。これにより、測定者は左右いずれの上腕Ｔに対しても、腕帯部２の装着動作あるいは取り外し動作を容易に行うことができる。
【００１５】
次に、図１と図２を参照して、血圧計本体部１０の構造について説明する。
図２は、図１に示す血圧計本体部１０の構造を平面図である。
図１と図２に示す血圧計本体部１０は、ケーシング３０と表示部３１を有している。ケーシング３０は、例えばプラスチック製の薄型の部材であり、上面部３２と、前端面部３３と後端面部３４と、側面部３５，３６と、底面部４２を有している。
図１と図２に示すように、上面部３２には、操作ボタンとしての開始／停止ボタン３７と、設定操作・入力ボタンとしてのメモリ呼び出し・時刻・アラーム設定ボタン３８と、入力ボタンとしての服薬ボタン３９と、窪み部分４０と、表示部３１が配置されている。開始／停止ボタン３７は測定者が押すことで、血圧測定操作の開始あるいは停止をするためのボタンである。服薬ボタン３９は、測定者が薬を飲んだ段階で押すボタンである。
時刻を設定して表示３１に時刻を表示する場合には、メモリ呼び出し・時刻・アラーム設定ボタン３８と服薬ボタン３９を同時に長押しすることにより、表示部３１には時刻設定画面が表示され、この時刻設定画面での時刻の設定は、メモリ呼び出し・時刻アラーム設定ボタン３８で選択しながら設定する。この時刻設定の際には、服薬時間の設定も行うことができる。
また、メモリ呼び出し・時刻・アラーム設定ボタン３８を押すことで、図３のメモリ部６９に記憶されている過去の例えば１００件の記録を見ることができる。この際には、メモリ済みの最高血圧値、最低血圧値、脈拍数、服薬の有無（服薬マークで示す）、日時が、メモリ呼び出し・時刻・アラーム設定ボタン３８を押すこと毎に順番に、表示部３１に表示される。また、メモリ呼び出し・時刻・アラーム設定ボタン３８を長押しすることで、月の最高血圧値の平均値，月の最低血圧値の平均値が表示部３１に表示でき、例えば過去２４ヶ月分の血圧値（最高血圧／最低血圧）の記録，過去１２ヶ月分の血圧値（最高血圧／最低血圧）の記録，過去１ヶ月分の血圧値（最高血圧／最低血圧）の記録，過去２４ヶ月分の血圧値（最高血圧／最低血圧）の各曜日（月曜日，火曜日，水曜日，木曜日，金曜日，土曜日，日曜日）毎の記録，過去１２ヶ月分の血圧値（最高血圧／最低血圧）の各曜日（月曜日，火曜日，水曜日，木曜日，金曜日，土曜日，日曜日）毎の記録，過去１ヶ月分の血圧値（最高血圧／最低血圧）の各曜日（月曜日，火曜日，水曜日，木曜日，金曜日，土曜日，日曜日）毎の記録を服薬メモ情報と併せて表示部３１にトレンド表示できるので、測定者がこれらの記録を目視で服薬の効果と併せて確認できる。
【００１６】
上面部３２の中央部分であって窪み部分４０の内部には、開始／停止ボタン３７が配置されている。窪み部分４０と後端面部３４の間には、表示部３１が配置されている。この表示部３１は、例えば液晶表示装置を用いることができ、一例として図１に示すように最高血圧値、最低血圧値、脈拍数、脈圧、測定動作中の表示マーク、電池交換の表示マーク等の各種の測定値等を表示することができる。窪み部分４０には、溝部分４１が形成されている。使用しない時には、有線３とチューブ４の一部をこの溝部分４１に挟み込むことで、腕帯部２と血圧計本体部１０が離れないようにしまっておくことができる。
【００１７】
図２に示すように、測定者が血圧計本体部１０を持ち易いようにするために、側面部３５，３６は曲面状に形成されている。メモリ呼び出し・時刻・アラーム設定ボタン３８と服薬ボタン３９は、上面部３２の後端面部３４付近に配置されている。ケーシング３０の内部には、破線で示すように、スピーカ４３と、２つのポンプ４４，４５と、排気バルブ４６と、制御バルブ４７と、回路基板４８が配置されている。スピーカ４３は、音声によるガイドや音楽によるガイドを出力するために設けられている。
【００１８】
次に、図３と図４を参照して、図１に示す電子血圧計１の回路ブロックを説明する。図３と図４は、電子血圧計１の回路ブロックを示している。図３では、各要素をより具体的に示し、図４では図３に示す各要素をより分かりやすいようにするためにブロックだけで示している。
図３と図４の電子血圧計１の回路ブロックの破線で示すように、血圧計本体部１０は、コロトコフ音（Ｋ音）検出システム５０と、加圧システム５１と、排気システム５２と、圧力検出システム５３と、電源システム５４と、音声システム５５と、制御システム５６を有する。
【００１９】
制御システム５６は、表示部３１の駆動部５８と、タイマ５９と、メモリ部６９等を有する。表示部３１の駆動部５８は、表示部３１を駆動制御して表示すべき項目を表示させる。メモリ部６９は、制御システム５６のＣＰＵ（中央処理部）により処理すべきプログラムが記憶されているＲＯＭ（読み出し専用メモリ）である。タイマ５９は、各種の動作の時間のカウントを行う。操作部５７は、制御システム５６に電気的に接続されており、すでに説明した開始／停止ボタン３７と、メモリ呼び出し・時刻・アラーム設定ボタン３８と、服薬ボタン３９を有している。
【００２０】
図３と図４に示すコロトコフ音（Ｋ音）検出システム５０は、腕帯部２に収納されたカフ１２内の例えば２つのマイクロフォン１３，１４と、Ｋ音検出回路部６０と、ノイズセンサ１５と、ノイズセンサ検出回路部６１を有している。２つのマイクロフォン１３，１４は、Ｋ音検出回路部６０を介して制御システム５６に電気的に接続されている。
図１に示すように、２つのマイクロフォン１３，１４は、開口部１６に対して互いに対向した位置（上腕Ｔの動脈に近い位置と遠い位置）に配置されている。
【００２１】
２つのマイクロフォン１３，１４は、測定者の血流音（血管情報）を検知し、Ｋ音検出回路部６０はこの血流音からＫ音を検出して制御システム５６にＫ音信号を伝える。制御システム５６は、入力されたＫ音信号からコロトコフ音と、このコロトコフ音の発生ポイントと、消滅ポイントを検出する。ノイズセンサ１５は、外部からマイクロフォン１３，１４に入る振動ノイズを検知して、ノイズセンサ検出回路部６１を介して制御システム５６にノイズ信号を送る。これにより、制御システム５６は、Ｋ音信号からノイズを除去することで、Ｋ音検出信号の精度を高めている。
【００２２】
図３と図４に示す圧力検出システム５３は、配管部６３と、圧力センサ６４と、腕帯部２に収納されたカフ１２内により構成されている。圧力センサ６４は、アンプ、フィルタ、積分Ａ／Ｄ部６５を介して制御システム５６に電気的に接続されている。制御システム５６は、Ｋ音信号を検出する。
すなわち、加圧して血管内の血流を止めた後に減圧し、再び血流が流れる時の最初のＫ音信号が検出された時点の圧力を最高血圧値に設定し、更に減圧を続けて血管の管路断面積が十分に拡がり、Ｋ音信号が検出されなくなったら、最後のＫ音信号が検出された時点の圧力を最低血圧値に設定する。また、制御システム５６は、最高血圧値と最低血圧値から得られる血管脈動またはＫ音信号の出現間隔から脈拍数を演算する。
【００２３】
加圧システム５１は、ポンプ４４，４５と、ポンプの駆動部６２を有する。制御システム５６の指令により、駆動部６２は、ポンプ４４，４５を駆動制御する。ポンプ４４，４５は、圧力検出システム５３の配管部６３を通じて腕帯部２のカフ１２内に接続されている。
電子血圧計１では、腕帯部２内のカフ１２をポンプ４４，４５で加圧した後、微速度で排気して減圧しつつ圧力センサ６４を用いて腕帯部２内のカフ１２圧力を検出すると同時に、マイクロフォンを用いてコロトコフ音（Ｋ音）を検出する。そして、電子血圧計１は、Ｋ音信号と、このＫ音信号の発生ポイントと消滅ポイントを検出することで、最高血圧値と最低血圧値を算出して、算出した最高血圧値と最低血圧値を表示部３１に表示できる。
【００２４】
次に、排気システム５２について説明する。排気システム５２は、２つの駆動部６６，６７と、排気バルブ（強制排気部）４６と、制御バルブ（減圧制御部）４７を有する。排気バルブ４６と、制御バルブ４７は配管部６３の途中に配置されている。制御システム５６が駆動部６６に指令をすることで、排気バルブ４６の開閉を行い、制御システム５６が駆動部６７に指令をすることで、制御バルブ４７の開閉を行う。  
【００２５】
電源システム５４は、電池６８と、電源コントロール部６９Ｃと、電源監視部７０を有する。電池６８は、繰り返して充電可能な二次電池として、例えばリチウムイオン電池であるが、特に種類は限定されず、乾電池等でも良い。電池６８の電圧は、電源コントロール部６９Ｃにより制御されて制御システム５６に供給されるとともに、ポンプ４４，４５の駆動電源、音声制御部７１へ供給する電源でもある。電源監視部７０は、電池６８の残量等の監視を行う。また、ＡＣアダプタを用いることで１００Ｖの商用電源を用いることができる。
【００２６】
音声システム５５は、音声制御部７１と、増幅部７２を有している。音声制御部７１と増幅部７２は、制御システム５６からの指令により制御される。音声制御部７１は、制御システム５６の指令により、音声によるガイダンスデータを増幅部７２に送って増幅することで、スピーカ４３は音声によるガイド用のアナウンスを発生することができる。
【００２７】
次に、上述した電子血圧計１を用いて、図５と図６に示す血圧測定プログラムに従って、血圧測定を行う手順を説明する。
図５は、図１の電子血圧計１における通常の血圧測定プログラム（通常の血圧測定モードＭ１）の手順を示すフロー図であり、ステップＳ１からステップＳ５を有する。
図６は、電子血圧計１における服薬時の血圧測定プログラム（服薬時の血圧測定モードＭ２）の手順を示すフロー図であり、ステップＳ１０からステップＳ２０を有する。
【００２８】
メモリ部６９に記憶された通常の血圧測定プログラムと服薬時の血圧測定プログラム血圧測定プログラムを選択して血圧測定できるようになっている。
【００２９】
（通常測定モードＭ１）
図５に示すステップＳ１では、測定者は、図１に示す開始／停止ボタン３７を押して、ステップＳ２では通常の血圧測定を開始する。
ステップＳ３では、図３の制御システム５６は、今回の通常の血圧測定により得られた最高血圧値と最低血圧値を、前日（前回）の最高血圧値と最低血圧値もしくは前年の最高血圧値と最低血圧値の同月平均と比較して、所定範囲内であるか所定範囲外であるかを確認する。この所定範囲内と所定範囲外は、例えば１５ｍｍＨｇを基準として判断する。
【００３０】
ステップＳ３において、今回の通常の血圧測定により得られた最高血圧値と最低血圧値を、前日（前回）の最高血圧値と最低血圧値もしくは前年の最高血圧値と最低血圧値の同月平均と比較して、１５ｍｍＨｇ未満である場合には、ステップＳ４に移る。
ステップＳ４では、図３の制御システム５６がスピーカ４３により、測定者に対して最高血圧値と最低血圧値、脈拍数を音声によるガイドでアナウンスする。また、図３の制御システム５６がスピーカ４３により、測定者に対して昨年あるいは前日の最高血圧値と最適血圧値も読み上げて、変わりが無いことを測定者に対して音声によるガイドでアナウンスして知らせる。
【００３１】
一方、ステップＳ３において、今回の通常の血圧測定により得られた最高血圧値と最低血圧値を、前日（前回）の最高血圧値と最低血圧値もしくは前年の最高血圧値と最低血圧値の同月平均と比較して、１５ｍｍＨｇ以上高い場合には、ステップＳ５に移る。
ステップＳ５では、図３の制御システム５６がスピーカ４３により、測定者に対して最高血圧値と最低血圧値、脈拍数を音声によるガイドでアナウンスする。しかも、図３の制御システム５６がスピーカ４３により、今回の通常の血圧測定により得られた最高血圧値と最低血圧値が、前日（前回）の最高血圧値と最低血圧値もしくは前年の最高血圧値と最低血圧値の同月平均と比較して高い旨を、測定者に対して音声によるガイドでアナウンスする。しかも、図３の制御システム５６がスピーカ４３により、測定者に対して血圧の測定時間が通常の時間であるかどうか、薬の飲み忘れが無いかどうかの確認を、音声によるガイドでアナウンスして促す。
【００３２】
このように、図３の制御システム５６は、今回の通常の血圧測定により得られた最高血圧値と最低血圧値が所定範囲である場合には、血圧が妥当であることを測定者に音声ガイドで報知するとともに、表示部３１に表示することで目視で確認できるようにしている。また、図３の制御システム５６は、今回の通常の血圧測定により得られた最高血圧値と最低血圧値が所定範囲外である場合には、血圧測定時間が通常の時間であるかどうか、薬の飲み忘れの有無を音声により測定者に知らせて確認を促すとともに、表示部３１に表示することで、測定者は目視で確認できるようにしている。
【００３３】
（服薬時の血圧測定モードＭ２）
図３に示すメモリ部６９には、薬を飲む時刻が予め記憶されている。この薬を飲み時刻は、測定者が登録することができる。
図６に示すステップＳ１０では、制御システム５６は、予め記憶した服薬時間になると、スピーカ４３により、アラーム（警告音）を鳴らすかあるいは音楽を流すことで、測定者に対して服薬時間を確実に音で知らせることができ、測定者に対して服薬を促す。
【００３４】
ステップＳ１１では、測定者（使用者）が服薬しようとしてステップＳ１２では測定者は図１に示す服薬ボタン３９を押す。ステップＳ１３において測定者が既に服薬している場合には、ステップＳ１４に移り、図３の制御システム５６は、スピーカ４３を用いて、予め設定された服薬時間であるかどうかを音声でアナウンスして、既に服薬している旨を測定者に対して音で知らせて、ステップＳ１５ではアナウンスを停止する。
【００３５】
また、ステップＳ１３において、まだ測定者が服薬していない場合には、ステップＳ１６に移り、図３の制御システム５６は、スピーカ４３を用いて、予め設定された服薬時間であるかどうかをアナウンスする。そして、ステップＳ１７では、図３の制御システム５６は、スピーカ４３を用いて、図１に示す腕帯部２を上腕Ｔに装着することを、測定者に対して音声でアナウンスして血圧測定開始を促す。ステップＳ１８では、測定者は数秒後に血圧測定を開始する。
【００３６】
ステップＳ１９では、図３の制御システム５６は、スピーカ４３を用いて、最高血圧値と最低血圧値と、脈拍数を音声によるガイドでアナウンスする。また、図３の制御システム５６は、スピーカ４３を用いて、前日（前回）の最高血圧値と最低血圧値もしくは前年の最高血圧値と最低血圧値もアナウンスする。図３の制御システム５６は、スピーカ４３を用いて、予め設定された服薬時間であったかどうかもアナウンスする。
ステップＳ２０では、図３の制御システム５６は、服薬マークと血圧値と服薬時刻を、メモリ部６９に記憶して、動作を停止する。
【００３７】
これにより、測定者が薬を飲んだかどうかを制御システム５６のメモリ部６９に記憶することができ、血圧測定と服薬とを結び付けて必ず血圧測定をすることができ、測定者は血圧測定と服薬（投薬）とを結び付けて管理することができる。
【００３８】
例えば高齢者に限らず例えば降圧剤のような薬を日常的に服薬している人は、服薬が日常動作になっているために、測定者自身が数分前にその薬を飲んだかどうかを忘れて再度薬を飲んでしまったり、あるいは薬を飲み忘れてしまうことが発生し易い。このため、本発明の実施形態の電子血圧計では、電子血圧計により血圧を測定する際に、服薬と血圧測定を結び付けて関連付けることで、血圧の測定者が再度薬を飲んでしまったり、薬を飲み忘れてしまうことを防いで、投薬と関連付けられた臨床上の意義のある血圧データを経時的に記録して、投薬の効果や投薬のタイミングを自己管理することができる。
【００３９】
次に、図７を参照して、本発明の電子血圧計の好ましい別の実施形態を説明する。図６は、本発明の好ましい別の実施形態を示す斜視図である。  
図１に示す電子血圧計１では、腕帯部２は、血圧計本体部１０とは別体になっている。これに対して、図７に示す電子血圧計１Ａでは、腕帯部２Ａと血圧計本体部１０Ａが一体的に形成されている点が異なる。図６に示す電子血圧計１Ａでは、腕帯部２Ａが血圧計本体部１０Ａのケーシング１００内に内蔵されている。これにより、腕帯部２Ａに上腕Ｔを挿入することで血圧測定をすることができる。ケーシング１００内のケーシング１００の上部には、表示部３１Ａが配置されている。これにより、一体型の電子血圧計１Ａは、別体型の電子血圧計１に比べて、部品点数を減らすことができる。腕帯部２Ａは、さらに、このカフ２Ｂを覆い、上腕を挿入する挿入孔１７Ａに着脱自在なカフリング１２Ｃを備えている。このカフリング１２Ｃは、両端部はＯ−リングで形成され、長さ方向Ｗ，円周方向Ｒのいずれにも伸縮自在なナイロン，スパンデックスなどのすべり性のあるストレッチ素材で形成している。
【００４０】
次に、本発明の電子血圧計の好ましい別の実施形態である手首式電子血圧計で説明する。図８は、手首式電子血圧計１Ｂの斜視図である。血圧計本体部１０Ｂは、ケーシング３０Ｂ、表示部３１Ｂ、操作ボタンとしての開始／停止ボタン３７Ｂ、設定操作・入力ボタンとしてのメモリ呼び出し・時刻・アラーム設定ボタン３８Ｂ、入力ボタンとしての服薬ボタン３９Ｂを有している。ケーシング３０Ｂは、例えばプラスチック製の薄型の部材であり、その内部に圧力センサ，電子回路，排気バルブ，ポンプ等が収納され、上面部３２Ｂと、底面部４２Ｂを有していて、その底面部４２Ｂには、カフ（不図示）が内蔵され、手首に装着するため、面ファスナー備えたカフバンド２００Ｂが設けられている。回路ブロックは省略するが、コロトコフ音検出システム５０，Ｋ音検出回路６０に替えて脈波検出回路（不図示）を設けている以外は、図３，図４のブロック図と同様である。開始／停止ボタン３７Ｂは測定者が押すことで、血圧測定操作の開始あるいは停止をするためのボタンである。
時刻を設定する場合には、メモリ呼び出し・時刻・アラーム設定ボタン３８Ｂと服薬ボタン３９Ｂを同時に長押しすることにより、表示部３１Ｂには時刻設定画面が表示され、時刻設定画面に表示されている時刻は、メモリ呼び出し・時刻・アラーム設定ボタン３８で選択しながら設定することができる。この中で、予め所定の測定時間の設定も行うことができる。
また、メモリ呼び出し・時刻・アラーム設定ボタン３８を押すことで、メモリ部（不図示）に記憶されている過去の例えば２４ヶ月分の記録を見ることができる。この際には、メモリ済みの最高血圧値、最低血圧値、脈拍数、服薬の有無（服薬マークで示す）、日時が、メモリ呼び出し・時刻・アラーム設定ボタン３８Ｂを押すこと毎に順番に、表示部３１Ｂに表示される。また、メモリ呼び出し・時刻・アラーム設定ボタン３８Ｂを長押しすることで、月の最高血圧値の平均値，月の最低血圧値の平均値が表示部３１Ｂに表示でき、例えば過去２４ヶ月分の血圧値（最高血圧／最低血圧）の記録，過去１２ヶ月分の血圧値（最高血圧／最低血圧）の記録，過去１ヶ月分の血圧値（最高血圧／最低血圧）の記録，過去２４ヶ月分の血圧値（最高血圧／最低血圧）の各曜日（月曜日，火曜日，水曜日，木曜日，金曜日，土曜日，日曜日）毎の記録，過去１２ヶ月分の血圧値（最高血圧／最低血圧）の各曜日（月曜日，火曜日，水曜日，木曜日，金曜日，土曜日，日曜日）毎の記録，過去１ヶ月分の血圧値（最高血圧／最低血圧）の各曜日（月曜日，火曜日，水曜日，木曜日，金曜日，土曜日，日曜日）毎の記録を服薬メモ情報と併せて表示部３１にトレンド表示できる。
このような手首式電子血圧計によれば、携帯が可能なため、外出先，旅先などの自宅外においても、測定者がこれらの記録を目視で服薬の効果と併せて確認でき、投薬のタイミングを自己管理することが容易にできる手首式電子血圧計を提供することができる。
【００４１】
ところで、本発明は上記実施形態に限定されず、種々の変形例を採用することができる。例えば、図示例では、把持部１８はほぼ扇型であるが、これに限らず任意の形状を採用できる。表示部３１は、例えば液晶表示装置の他に、有機ＥＬ装置、蛍光表示装置等、特に種類は限定されない。また、表示部に表示される圧力は、ディフォルトとしてｍｍＨｇとしているが、内部スイッチやモード選択ボタン３９などで、Ｐａ表示に変更できるようにしてもよい。
上述した本発明の実施形態では、電子血圧計は、血圧測定方式としてリバロッチ・コロトコフ法が用いられ、コロトコフ音（Ｋ音）を検出して血圧測定を行うようになっているが、圧脈波（オシロメトリック法）等の他の血圧測定方式を採用しても良い。また、血圧計本体部が、カフと、血圧値，脈拍を表示する表示部を有し、手首に装着される、いわゆる手首式血圧計やカフが耳珠部に装着される、いわゆる耳式血圧計であっても良い。
【符号の説明】
【００４２】
１・・・電子血圧計、２・・・腕帯部、１０・・・血圧計本体部、１１・・・ハウジング、１２・・・カフ、１６・・・開口部、３０・・・ケーシング、３１・・・表示部、３７・・・開始／停止ボタン、３８・・・メモリ呼び出し・時刻アラーム設定ボタン、３９・・・服薬ボタン、４３・・・スピーカ、５０・・・コロトコフ音（Ｋ音）検出システム、５１・・・加圧システム、５２・・・排気システム、５３・・・圧力検出システム、５４電源システム、５５・・・音声システム、５６・・・制御システム、６９・・・メモリ部
【図１】
2010213785.tif 000003
【図２】
2010213785.tif 000004
【図３】
2010213785.tif 000005
【図４】
2010213785.tif 000006
【図５】
2010213785.tif 000007
【図６】
2010213785.tif 000008
【図７】
2010213785.tif 000009
【図８】
2010213785.tif 000010